(57)【要約】      （修正有）【課題】ラメ糸を婦人用靴下や紳士用靴下などの成人用靴下に使用してその商品性をアップさせるようにした靴下を提供する。【解決手段】編み糸又は編み糸と弾性糸によって靴下本体に爪先部分を連続して編成するようにした靴下において、爪先部分２０の足甲側終端縁と靴下本体の足甲側先端縁との間を対向する編み目を１目ずつラメ糸３０によって掬い縫いすることによってリンキングする。ラメ糸には、合成樹脂フィルムに金属材料を蒸着しこのフィルムを糸状にスリッティングしてなる１本又は複数本のスリット糸を１本又は複数本の弾性糸に間隔をあけて螺旋状に巻き付けて製作されたラメ糸を使用する。【選択図】図３
0003193035.tif 000002
【実用新案登録請求の範囲】
【請求項１】
編み糸又は編み糸と弾性糸によって靴下本体に爪先部分を連続して編成するようにした靴下において、
爪先部分（２０）の足甲側終端縁と靴下本体（１０）の足甲側先端縁との間が対向する編み目を１目ずつラメ糸（３０）によって該ラメ糸（３０）に引っ張り荷重を加えることなく掬い縫いすることによってリンキングされ、上記ラメ糸（３０）は合成樹脂フィルムに金属材料を蒸着しこのフィルムを糸状にスリッティングしてなる１本又は複数本のスリット糸（３１）を１本又は複数本の弾性糸（３２）に間隔をあけて螺旋状に巻き付けて製作されていることを特徴とする靴下。
【請求項２】
上記編み糸は綿糸、綿アクリル混紡糸、毛糸、毛アクリル混紡糸、絹糸、絹アクリル混紡糸、麻糸、麻アクリル混紡糸及びナイロン糸の群から選ばれる編み糸であり、上記ラメ糸（３０）はナイロン糸（３２）及び／又はポリエステル糸にスリット糸（３１）を巻き付けたラメ糸である請求項１記載の靴下。
【考案の詳細な説明】
【技術分野】
【０００１】
本考案は靴下に関し、特にラメ糸を婦人用靴下や紳士用靴下などの成人用靴下に使用してその商品性をアップさせることができるようにした靴下に関する。
【背景技術】
【０００２】
例えば、履口部及びレッグ部の裏側にラメ糸を用いて動物の顔などを編み込み、左右の靴下を重ね、履口部及びレッグ部を裏返して立体的な動物の顔などを造形し、子供の注意を惹き付けることができるようにした靴下が提案されている（特許文献１）。
【０００３】
ラメ糸はポリアミドフィルムなどの合成樹脂フィルムにアルミニウム、金、銀などの金属材料を蒸着し、このフィルムを糸状にスリッティングしたスリット糸であり、美しい光沢や色調を有して繊維製品に光沢や色調を与える素材として広く使用されるものの、引っ張りによって糸切れを起こしやすい。
【０００４】
これに対し、従来より糸切れを起こし難くしたラメ糸が種々提案されている。例えば、複数本のラメ糸を撚り合わせ、このラメ撚糸の表面にカバー糸を巻き付けて糸切れを起こし難くしたラメ糸（特許文献２）、伸長させた弾性糸を芯糸とし、これにラメ糸と非弾性糸を撚り合わせ、糸切れを起こし難くしたラメ糸（特許文献３）、が知られている。
【先行技術文献】
【特許文献】
【０００５】
【特許文献１】実用新案登録第３１１１９８１号公報
【特許文献２】特開２００９−５２１５１号公報
【特許文献３】特開２００１−８１６４５号公報
【考案の開示】
【考案が解決しようとする課題】
【０００６】
しかるに、特許文献１記載の靴下は子供用靴下などの特殊な用途に限定されているのが実情であった。
【０００７】
本考案はかかる状況において、ラメ糸を婦人用靴下や紳士用靴下などの成人用靴下に使用してその商品性をアップさせることができるようにした靴下を提供することを課題とする。
【課題を解決するための手段】
【０００８】
そこで、本考案に係る靴下は、編み糸又は編み糸と弾性糸によって靴下本体に爪先部分を連続して編成するようにした靴下において、爪先部分の足甲側終端縁と靴下本体の足甲側先端縁との間が対向する編み目を１目ずつラメ糸によって該ラメ糸に引っ張り荷重を加えることなく掬い縫いすることによってリンキングされ、上記ラメ糸は合成樹脂フィルムに金属材料を蒸着しこのフィルムを糸状にスリッティングしてなる１本又は複数本のスリット糸を１本又は複数本の弾性糸に間隔をあけて螺旋状に巻き付けて製作されていることを特徴とする。
【０００９】
本考案の特徴の１つは伸縮性のあるラメ糸を爪先部分の開口の縫合に使用してリンキングするようにした点にある。これにより、成人用靴下の爪先部分にワンポイントの装飾を入れることができ、しかも特許文献１記載の靴下のように、動物の顔などのように子供用靴下に限定されないので、成人用靴下の商品性を大幅にアップさせることができる。
【００１０】
また、対向する編み目を１目ずつ掬い縫いすることによってリンキングするようにしたので、爪先部分の開口を例えばロッソによって縫製した場合に比較して平坦に縫製することができ、靴下の履き心地を大幅にアップできる。
【００１１】
その結果、爪先部分の開口をリンキングによって平坦に縫製した靴下において爪先にラメ糸によって装飾を入れることができ、婦人用靴下や紳士用靴下などの高級靴下の商品性をさらにアップすることができる。
【００１２】
ここで、合成樹脂フィルムに金属材料を蒸着しこのフィルムを糸状にスリッティングしてなる１本又は複数本のスリット糸を１本又は複数本の弾性糸に間隔をあけて螺旋状に巻き付けて製作されたラメ糸を使用するようにしたが、リンキング時にラメ糸に引っ張り荷重を加えることなく掬い縫いすることによって、ラメ糸の糸切れを起こし難くできるからである。
【００１３】
つまり、ラメ糸によって掬い縫いする場合、リンキング作業のためにラメ糸をピーンと張る必要があるが、ほとんど引っ張り荷重を加えずに自重によって多少伸びるものの、意図的に伸長させない状態でリンキングすると、糸切れを起こすことなく、ラメ糸によってリンキングできる。
【００１４】
また、編み糸は綿糸、綿アクリル混紡糸、毛糸、毛アクリル混紡糸、絹糸、絹アクリル混紡糸、麻糸、麻アクリル混紡糸及びナイロン糸の群から選ばれる編み糸を使用することができ、ラメ糸にはナイロン糸及び／又はポリウレタン糸にスリット糸を巻き付けたラメ糸を使用することができる。
【００１５】
ラメ糸は、例えばポリアミド系フィルムなどの合成樹脂フィルムにアルミニウム、金、銀などの金属材料を真空蒸着してスリッティングした１本又は複数本のスリット糸を、1本又は複数本のナイロン糸やポリウレタン糸に巻き付けることによって製作することができる。
【００１６】
また、本発明に係る靴下は丸編み機や靴下編み機などを使用して編成することができるが、爪先部分のリンキングは作業者の手作業によってもよく、リンキング機を用いて行ってもよい。
【００１７】
なお、リンキングに代え、ロッソを採用することも考えられるが、ロッソミシンなどで縫製するときに、ラメ糸に大きな引っ張り力が加わって糸切れを起こすことから、ロッソは採用できなかった。
【図面の簡単な説明】
【００１８】
【図１】本考案に係る靴下の好ましい実施形態を示す概略斜視図である。
【図２】図１の要部拡大図である。
【図３】上記靴下の爪先部分の内面を示す図である。
【図４】上記実施形態において使用されるラメ糸を示す図である。
【考案を実施するための形態】
【００１９】
以下、本考案を図面に示す具体例に基づいて詳細に説明する。図１ないし図４は本発明に係る靴下の製造方法の好ましい実施形態を示す。靴下は靴下本体１０と爪先部分２０とから構成され、靴下本体１０は履口部分１１、レッグ部分１２、足甲部分１３、足底部分１４及び踵部分１５からなっている。
【００２０】
靴下本体１０及び爪先部分２０は編み糸と弾性糸を用い、丸編み機や靴下編み機によって編成され、靴下本体１０は履口部分１１から足甲部分１３及び足底部分１４の先端側に向けて筒状に編成され、爪先部分２０は足底部分１４に連続して編成され、爪先部分２０の足甲側終端縁と靴下本体１０の足甲側先端縁との間の開口はラメ糸３０を用いて編み目を１目ずつ掬い縫いすることによってリンキングされている。
【００２１】
ここで、編み糸には綿アクリル混紡糸が用いられ、ラメ糸３０には図４に示されるようにポリアミド系フィルムにアルミニウム、金、銀などの金属材料を真空蒸着しこれをスリッティングした１本（複数本でもよい）のスリット糸３１を、複数本（１でもよい）のナイロン糸３２などの弾性糸に螺旋状に巻き付け、その上にウーリーナイロン糸３３を逆方向に螺旋状に巻き付けてスリット糸３１を押さえて製作されたラメ糸３０が使用されている。
【００２２】
以上のように、ラメ糸３０を爪先部分２０の開口の縫合に使用するようにしたので、紳士用靴下など成人用靴下の爪先部分２０にラメ糸３０によってワンポイントの装飾を入れることができ、しかも特許文献１記載の靴下のように、動物の顔などのように子供用靴下に限定されないので、靴下の商品性を大幅にアップできることが期待される。
【符号の説明】
【００２３】
１０      靴下本体
２０      爪先部分
３０      ラメ糸
【図１】
0003193035.tif 000003
【図２】
0003193035.tif 000004
【図３】
0003193035.tif 000005
【図４】
0003193035.tif 000006